(57)【特許請求の範囲】
【請求項１】
第１筐体及び第２筐体と、
前記第１筐体又は前記第２筐体のいずれか一方の筐体に装着されるカップリング部材と、
所定角度相対回動できるように前記第１筐体と前記第２筐体をヒンジ結合するヒンジ組立体と、
予め設定された複数の回動角度区間でそれぞれに対応する作動モードを実行させることができるように、前記ヒンジ組立体に装着される作動モード切替装置とを含み、
前記作動モード切替装置は、
前記回動によって作動モードを選択するように構成されるモードセレクタと、
選択された作動モードに対応する回動角度区間で前記第１筐体及び前記第２筐体を固定できるように、前記カップリング部材に着脱可能に結合される可動子と、
前記モードセレクタの一側面に一体に結合され、円形の胴部の円周面に沿って突出部と溝が交互に複数形成される回転角制御部材と、
前記回転角制御部材と隣接した位置に装着され、選択された作動モードに対応する回動角度区間で前記回転角制御部材の回転を停止させるように前記溝に結合されるストッパと、
を含むことを特徴とする移動通信端末機。
【請求項２】
前記作動モード切替装置は、
前記モードセレクタにより選択された作動モードを感知するためのセンサをさらに含むことを特徴とする請求項１に記載の移動通信端末機。
【請求項３】
前記モードセレクタには、前記モードセレクタの胴部の上面中央部の位置から前記モードセレクタの胴部の端部の位置に至る長さを有するスロットが形成され、前記スロットには、前記可動子の胴部の下部に形成されたスライダが前記スロットに沿って移動可能に装着されることを特徴とする請求項１に記載の移動通信端末機。
【請求項４】
前記可動子は、前記カップリング部材が挟まれるように、一側面に前記カップリング部材の幅と対応する大きさの溝が形成されることを特徴とする請求項１に記載の移動通信端末機。
【請求項５】
前記ストッパは、
弾性部材が装着されるケースと、
前記ケースの内部に装着されてラッチの一端部を支持する弾性部材と、
一端部が前記ケースの内部に位置して前記弾性部材により支持され、他端部が前記ケースの一側から突出するように位置して前記回転角制御部材に接するラッチと、
を含むことを特徴とする請求項１に記載の移動通信端末機。
【請求項６】
前記カップリング部材が、接触又は近接カップリング部材で構成されることを特徴とする請求項１に記載の移動通信端末機。
【請求項７】
前記ストッパが、板状の弾性部材で構成されることを特徴とする請求項１に記載の移動通信端末機。
【請求項８】
前記センサが、可変抵抗構造又は接点スイッチ構造で構成されることを特徴とする請求項２に記載の移動通信端末機。
【請求項９】
前記回転角制御部材は、前記第１筐体と前記第２筐体の回転角が第１角度区間、第２角度区間、及び第３角度区間に区分されて回転できるように構成されることを特徴とする請求項１に記載の移動通信端末機。
【請求項１０】
前記第１角度区間が１４０〜１６０°の区間であり、前記第２角度区間が１７０〜１８０°の区間であり、前記第３角度区間が３００〜３６０°の区間であることを特徴とする請求項９に記載の移動通信端末機。
【請求項１１】
前記第１角度区間、前記第２角度区間、及び前記第３角度区間が異なるモードに設定されることを特徴とする請求項９に記載の移動通信端末機。
【請求項１２】
前記第１角度区間が初期モードに設定され、前記第２角度区間がカメラモードに設定され、前記第３角度区間が基地局又は衛星信号受信モードに設定されることを特徴とする請求項１１に記載の移動通信端末機。
【請求項１３】
前記各モードは、前記モードセレクタにより該当モードが前記各角度区間に切り替えられた状態で前記可動子が前記カップリング部材に結合されると出力されることを特徴とする請求項１１に記載の移動通信端末機。
【請求項１４】
前記ヒンジ組立体が、カメラモジュールをさらに含むことを特徴とする請求項１に記載の移動通信端末機。
【発明の詳細な説明】
【技術分野】
【０００１】
本発明は、作動モード切替装置を備えた移動通信端末機及びそのモード切替方法に関する。
【背景技術】
【０００２】
移動通信端末機は、ユーザが携帯して特定の人と音声通話できるようにすると共に多様な機能を提供する装置である。
【０００３】
一般に、従来の移動通信端末機は、入力部が構成される筐体と情報を出力する筐体とから構成される。このような移動通信端末機は、折り畳み型、スライド型、及び回転型などの多様な構成を有する。
【０００４】
通常、折り畳み型移動通信端末機においては、ヒンジにより結合される２つの筐体のいずれか一方の筐体に通話のためのボタンキー及び多様な機能キーを含む入力装置が装着され、他方の筐体にメインＬＣＤ及びサブＬＣＤなどの表示素子が装着される。
【０００５】
前記折り畳み型移動通信端末機には、前記２つの筐体がヒンジにより３６０°回転するものと３６０°未満の所定角度で回転するものとがある。
【０００６】
このような従来の移動通信端末機は、２つの筐体がヒンジを中心に回転した回転角に応じて、通話を可能にするか、又は特定映像の撮影もしくは特定映像データの出力のためのそれぞれのモードでの作動を可能にするように構成される。
【発明の開示】
【発明が解決しようとする課題】
【０００７】
しかし、このような従来の移動通信端末機は、ヒンジを中心に回転する２つの筐体を多様な任意の回転角で固定できないため、その使用が不便であるという問題があった。
【０００８】
また、前記２つの筐体の回転角に応じてそれぞれの出力（又は、機能）モードが切り替えられるが、モード切替機能を実行する方法としては、前記２つの筐体の回転角を認識して出力（又は、機能）モードを切り替える方式と、ユーザが直接キーを操作してモードを切り替える方式とがある。
【０００９】
ここで、前記２つの筐体の回転角に応じて自動的にモードを切り替える方式においては、ユーザが所望のモードを作動させるために２つの筐体をヒンジを中心に回転させる場合、中間位置の回転角（すなわち、回転過程）でユーザが意図しない不要なモードに繰り返して切り替えられて出力されるため、制御装置の過負荷を引き起こす原因となる。また、このような原因により移動通信端末機には誤作動が頻繁に発生する。
【００１０】
また、ユーザが直接キーボタンを操作してモードを切り替える方式においては、それぞれの機能を選択してそれに従属するモードを選択することにより、出力（又は、機能）モードを切り替える。このような場合、各種のモードに切り替えるためには多数の段階を経なければならない。また、それぞれの機能が異なる機能キーに従属するのが一般的であるため、ユーザがそれぞれの機能キーの種類と機能を正確に記憶していない場合、該当モードに切り替えるために試行錯誤を繰り返すことになるという問題があった。
【００１１】
本発明は、このような従来技術の問題を解決するためになされたもので、移動通信端末機の筐体の回転角に応じてそれに対応する作動モードをより容易に選択できるようにすると共に、移動通信端末機に過負荷が発生しないようにすることを目的とする。
【００１２】
本発明の他の目的は、移動通信端末機の各出力（又は、機能）モードに該当する領域がより柔軟な選択領域を有するようにすることにある。
【００１３】
本発明のさらに他の目的は、既存の付加的な手段を備えなくても、ヒンジにより連結される２つの筐体を各該当モードの領域に対応する角度の位置に固定できるようにすることにある。
【課題を解決するための手段】
【００１４】
このような目的を達成するために、本発明は、作動モード切替装置を備えた移動通信端末機及びそのモード切替方法を提供する。
【００１５】
本発明によれば、移動通信端末機の筐体の回転角に応じてそれに対応する作動モードをより容易に選択できるようにすると共に、移動通信端末機に過負荷が発生しないようにする作動モード切替装置が提供される。
【００１６】
本発明による作動モード切替装置の構成によれば、移動通信端末機を構成する第１筐体と第２筐体が作動モード切替装置により設定されたより柔軟な領域の所定の角度区間に回転して固定されることによって選択されたモードが作動される。
【００１７】
また、本発明による作動モード切替装置の構成によれば、作動モード切替装置の構成だけで、移動通信端末機を構成する第１筐体と第２筐体を各設定モードの領域に対応する角度で固定できる。
【００１８】
本発明の一実施態様による移動通信端末機は、ヒンジ組立体により第１筐体と第２筐体が一軸を中心に開閉可能に構成される移動通信端末機に装着され、前記第１筐体と前記第２筐体の回転角に対応する作動モードに切り替える作動モード切替装置を含むが、ここで、前記作動モード切替装置は、前記ヒンジ組立体に装着されて作動モードを選択するモードセレクタと、前記第１筐体又は前記第２筐体のいずれか一方の筐体に装着されるカップリング部材と、前記モードセレクタに移動可能に装着され、前記カップリング部材に着脱して前記モードセレクタにより選択された作動モードの出力をオン／オフする可動子とを含む。
【００１９】
前記モードセレクタは、前記モードセレクタの一側面に装着され、選択されたモードに該当する角度区間で停止できるように前記モードセレクタの回転を調節する回転角制御部材と、前記回転角制御部材と隣接した位置に装着され、前記選択されたモードに該当する角度区間で前記回転角制御部材の回転を停止させるストッパと、前記モードセレクタにより回転した角度を感知するセンサとを含む。
【００２０】
また、前記モードセレクタには、前記モードセレクタの胴部の上面中央部の位置から前記モードセレクタの胴部の端部の位置に至る長さを有するスロットが形成され、前記スロットには、前記可動子の胴部の下部に形成されたスライダを前記スロットに沿って移動可能に装着することができる。
【００２１】
また、前記作動モード切替装置と隣接した前記第１筐体又は前記第２筐体の端部には前記カップリング部材が装着され、前記可動子には、前記カップリング部材が挟まれて前記第１筐体と前記第２筐体が回転しないように固定するために、一側面に前記カップリング部材の幅と対応する大きさの溝を形成することができる。
【００２２】
また、前記ストッパは、弾性部材が装着されるケースと、前記ケースの内部に装着されてラッチの一端部を支持する弾性部材と、一端部が前記ケースの内部に位置して前記弾性部材により支持され、他端部が前記ケースの一側から突出するように位置して前記回転角制御部材に接するラッチとを含む。
【００２３】
また、前記カップリング部材は、前記第１筐体又は前記第２筐体のいずれか一方の筐体の前記ヒンジ組立体と隣接した端部の位置に装着されるように構成でき、接触又は近接カップリング部材で構成できる。
【００２４】
前記ストッパは、板状の弾性部材で構成できる。
【００２５】
前記センサは、可変抵抗構造又は接点スイッチ構造で構成できる。
【００２６】
前記回転角制御部材は、前記第１筐体と前記第２筐体の回転角が第１角度区間、第２角度区間、及び第３角度区間に区分されて回転できるように、その胴部の円周面に沿って突出部と溝が交互に複数形成されるように構成できる。また、前記各角度区間は、初期モード、カメラモード、衛星波（又は、地上波）受信モードなどの多様なモードにそれぞれ設定でき、前記各角度区間は、１４０〜１６０°、１７０〜１８０°、及び３００〜３６０°の区間にすることができる。
【００２７】
本発明の他の実施態様による移動通信端末機のモード切替方法は、モード選択のために回転したモードセレクタの回転角を確認する段階と、前記モードセレクタが回転した角度で可動子が作動して出力信号がオン状態であるか否かを確認する段階と、前記モードセレクタの回転角に応じて選択されたモードを出力する段階とを含む。
【００２８】
ここで、前記モード選択のために回転したモードセレクタの回転角は、移動通信端末機の第１筐体と第２筐体の回転角による第１角度区間、第２角度区間、及び第３角度区間に対応する。前記各角度区間は、初期モード、カメラモード、衛星波（又は、地上波）受信モードなどの多様なモードにそれぞれ設定でき、前記各角度区間は、１４０〜１６０°、１７０〜１８０°、及び３００〜３６０°の区間にすることができる。
【００２９】
上記目的を達成するために、本発明は、例えば、以下の手段を提供する。
【００３０】
（項目１）
ヒンジ組立体により回転可能に結合される第１筐体及び第２筐体と、
前記第１筐体と前記第２筐体の回転角に対応する作動モードに切り替える作動モード切替装置とを含み、
前記作動モード切替装置は、
前記ヒンジ組立体に装着されて作動モードを選択するモードセレクタと、
前記第１筐体又は前記第２筐体のいずれか一方の筐体に装着されるカップリング部材と、
前記モードセレクタに移動可能に装着され、前記カップリング部材に着脱して前記モードセレクタにより選択された作動モードの出力をオン／オフする可動子と、
を含むことを特徴とする移動通信端末機。
【００３１】
（項目２）
前記モードセレクタは、
前記モードセレクタに装着され、選択されたモードに該当する角度区間で停止できるように前記モードセレクタの回転を調節する回転角制御部材と、
前記回転角制御部材と隣接した位置に装着され、前記選択されたモードに該当する角度区間で前記回転角制御部材の回転を停止させるストッパと、
前記モードセレクタにより選択された作動モードを感知するためのセンサと、
を含むことを特徴とする項目１に記載の移動通信端末機。
【００３２】
（項目３）
前記モードセレクタには、前記モードセレクタの胴部の上面中央部の位置から前記モードセレクタの胴部の端部の位置に至る長さを有するスロットが形成され、前記スロットには、前記可動子の胴部の下部に形成されたスライダが前記スロットに沿って移動可能に装着されることを特徴とする項目２に記載の移動通信端末機。
【００３３】
（項目４）
前記作動モード切替装置と隣接した前記第１筐体又は前記第２筐体の端部には前記カップリング部材が装着され、前記可動子は、前記カップリング部材が挟まれるように、一側面に前記カップリング部材の幅と対応する大きさの溝が形成されることを特徴とする項目１に記載の移動通信端末機。
【００３４】
（項目５）
前記ストッパは、
弾性部材が装着されるケースと、
前記ケースの内部に装着されてラッチの一端部を支持する弾性部材と、
一端部が前記ケースの内部に位置して前記弾性部材により支持され、他端部が前記ケースの一側から突出するように位置して前記回転角制御部材に接するラッチと、
を含むことを特徴とする項目２に記載の移動通信端末機。
【００３５】
（項目６）
前記カップリング部材が、接触又は近接カップリング部材で構成されることを特徴とする項目１に記載の移動通信端末機。
【００３６】
（項目７）
前記ストッパが、板状の弾性部材で構成されることを特徴とする項目２に記載の移動通信端末機。
【００３７】
（項目８）
前記センサが、可変抵抗構造又は接点スイッチ構造で構成されることを特徴とする項目２に記載の移動通信端末機。
【００３８】
（項目９）
前記回転角制御部材は、前記第１筐体と前記第２筐体の回転角が第１角度区間、第２角度区間、及び第３角度区間に区分されて回転できるように、その胴部の円周面に沿って突出部と溝が交互に複数形成されるように構成されることを特徴とする項目２に記載の移動通信端末機。
【００３９】
（項目１０）
前記第１角度区間が１４０〜１６０°の区間であり、前記第２角度区間が１７０〜１８０°の区間であり、前記第３角度区間が３００〜３６０°の区間であることを特徴とする項目９に記載の移動通信端末機。
【００４０】
（項目１１）
前記第１角度区間、前記第２角度区間、及び前記第３角度区間が異なるモードに設定されることを特徴とする項目９に記載の移動通信端末機。
【００４１】
（項目１２）
前記第１角度区間が初期モードに設定され、前記第２角度区間がカメラモードに設定され、前記第３角度区間が基地局又は衛星信号受信モードに設定されることを特徴とする項目１１に記載の移動通信端末機。
【００４２】
（項目１３）
前記各モードは、前記モードセレクタにより該当モードが前記各角度区間に切り替えられた状態で前記可動子が前記カップリング部材に結合されると出力されることを特徴とする項目１１に記載の移動通信端末機。
【００４３】
（項目１４）
前記ヒンジ組立体が、カメラモジュールをさらに含むことを特徴とする項目１に記載の移動通信端末機。
【００４４】
（項目１５）
モード選択のために回転したモードセレクタの回転角を確認する段階と、
前記モードセレクタが回転した角度で可動子が作動して出力信号がオン状態であるか否かを確認する段階と、
前記モードセレクタの回転角に応じて選択されたモードを出力する段階と、
を含むことを特徴とする移動通信端末機のモード切替方法。
【００４５】
（項目１６）
前記モード選択のために回転したモードセレクタの回転角が、移動通信端末機の第１筐体と第２筐体の回転角による第１角度区間、第２角度区間、及び第３角度区間に対応することを特徴とする項目１５に記載の移動通信端末機のモード切替方法。
【００４６】
（項目１７）
前記第１角度区間が１４０〜１６０°の区間であり、前記第２角度区間が１７０〜１８０°の区間であり、前記第３角度区間が３００〜３６０°の区間であることを特徴とする項目１６に記載の移動通信端末機のモード切替方法。
【００４７】
（項目１８）
前記第１角度区間、前記第２角度区間、及び前記第３角度区間が異なるモードに設定されることを特徴とする項目１７に記載の移動通信端末機のモード切替方法。
【００４８】
（項目１９）
前記第１角度区間が初期モードに設定され、前記第２角度区間がカメラモードに設定され、前記第３角度区間が基地局又は衛星信号受信モードに設定されることを特徴とする項目１８に記載の移動通信端末機のモード切替方法。
【発明の効果】
【００４９】
本発明の移動通信端末機及びそのモード切替方法によれば、ユーザが意図する作動モードに切り替えるために不要な他の作動モードに切り替えられて出力されることがないので制御装置の過負荷を防止できる。
【００５０】
また、本発明によれば、不要な作動モードの切替及び／又は出力を防止して制御装置の過負荷を引き起こさなくなるので誤作動の発生を抑制することができる。
【００５１】
さらに、本発明によれば、ユーザが所望の作動モードに切り替えるための複数段階のキーボタン作動が必要ないので、ユーザはより便利に作動モードを切り替えることができる。
【００５２】
さらに、本発明によれば、それぞれ異なるモードに切り替えられる角度範囲がより柔軟な領域を有するので、ユーザにとって便利な回転角度に回転させて移動通信端末機の２つの筐体がなす角度をより柔軟に調節できるという利点がある。
【００５３】
さらに、本発明によれば、付加的な手段を備えなくても、ヒンジ組立体により連結される２つの筐体が各該当モードの領域に対応する角度で位置が固定できる構造を提供できる。
【発明を実施するための最良の形態】
【００５４】
以下、添付の図面を参照して本発明による作動モード切替装置を備えた移動通信端末機及びそのモード切替方法の好ましい実施形態を説明する。
【００５５】
図１は本発明の第１実施形態による作動モード切替装置を備えた移動通信端末機の斜視図である。
【００５６】
図１に示す移動通信端末機１００は、従来の移動通信端末機と同様に、メインＬＣＤモジュール１１２及びサブＬＣＤモジュール１１１などの表示素子が装着される第２筐体１１０と、キーボタン及び各種機能キーを含むキーパッド１２１が備えられる第１筐体１２０とが、ヒンジ組立体１３０により回転可能に結合される。
【００５７】
ここで、ヒンジ組立体１３０は、第１筐体１２０の端部に結合される一対のカプラ１３１、１３２と、連結軸１３４によりカプラ１３１、１３２にそれぞれ結合されるギヤ１３１ａ、１３２ａと、一対のギヤ１３１ａ、１３２ａが離脱しないようにし、連結軸１３４を固定するための要素を内蔵した固定部１３５とを含む。これにより、第１筐体１２０と第２筐体１１０は、ヒンジ組立体１３０を中心に３６０°回転可能に構成される。また、固定部１３５は、カメラモジュール２１０をさらに含むことができる。
【００５８】
このような構成により、移動通信端末機１００においては、第１筐体１２０と第２筐体１１０が３６０°回転することによって、図２Ｂに示すように、第１筐体１２０のキーパッド１２１と第２筐体１１０のメインＬＣＤモジュール１１２が開放されて、ユーザがメインＬＣＤモジュール１１２に出力された画像情報を見ることができる。
【００５９】
このような構成を有する移動通信端末機１００は、ヒンジ組立体１３０、第１筐体１１０、又は第２筐体１２０のいずれか１つに、第２筐体１１０のメインＬＣＤモジュール１１２に出力されるディスプレイモード（すなわち、作動モード）を制御するための作動モード切替装置３００を備える。作動モード切替装置３００は、第１筐体１２０と第２筐体１１０の回転した角度を維持する支持手段の役割も同時に果たすように構成される。
【００６０】
作動モード切替装置３００は、モードセレクタ３１０と可動子３２０とを含む。
【００６１】
モードセレクタ３１０は、後述するように、ヒンジ組立体１３０に装着され、第１筐体１２０と第２筐体１１０がヒンジ組立体１３０を中心に回転した角度に対応する作動モードを選択できるように構成される。
【００６２】
可動子３２０は、モードセレクタ３１０に移動可能に装着され、その移動状態によってモードセレクタ３１０により選択された作動モードの出力をオン／オフできるように構成される。すなわち、可動子３２０は、一種のスイッチの役割を果たすように構成される。
【００６３】
一方、作動モード切替装置３００は、ヒンジ組立体１３０と隣接した第１筐体１２０又は第２筐体１１０のいずれか一方の端部に装着されるカップリング部材３３０をさらに含むことができる。カップリング部材３３０は、可動子３２０に着脱可能に構成される。このような構成により、モードセレクタ３１０により選択された作動モードの出力をオン／オフでき、モードセレクタ３１０により選択された作動モードを第１筐体１２０と第２筐体１１０の開角度に対応する作動モードにすることができる。
【００６４】
第１実施形態においては、作動モード切替装置３００のモードセレクタ３１０と可動子３２０とが固定部１３５に装着され、カップリング部材３３０が第１筐体１１０又は第２筐体１２０のいずれか一方に装着されるように構成した。
【００６５】
このような構成を有する作動モード切替装置３００は、モードセレクタ３１０により作動モードを選択する機能を行うことができ、可動子３２０及びカップリング部材３３０により作動モードの出力と回転した角度の位置を維持する機能を行うことができる。
【００６６】
以下、第１実施形態による作動モード切替装置３００の構成と作動について具体的に説明するが、まず移動通信端末機１００の一般的な作動について説明する。
【００６７】
図４は移動通信端末機の主要部分を示すブロック図である。前記ブロック図に示すように、移動通信端末機１００は通信信号を送受信できるアンテナ４１０と、各種の電気的信号を制御してＩ／Ｏインタフェース６００を備えるコントローラ７００とを含み、移動通信端末機１００に入出力する各種の通信信号と電気信号を制御できるように構成される。
【００６８】
すなわち、キーパッド１２１などの入力装置により命令データ又は情報データをコントローラ７００に入力すると、前記コントローラ７００は入力されたデータを送信器４４０によりデュプレクサ４２０とアンテナ４１０を介して該当基地局又は衛星に信号を送出する。反対に、該当基地局又は衛星から信号を受信する場合は、該当基地局又は衛星からアンテナ４１０とデュプレクサ４２０を介して受信器４３０によりコントローラ７００に信号を受信し、受信されたデータをメインＬＣＤモジュール１１２及びサブＬＣＤモジュール１１１などの出力装置により出力する。
【００６９】
マイク５１０及びスピーカ５２０などの音声装置５００による入出力過程も前述した過程と同様である。
【００７０】
このように音声装置、入力装置、出力装置により送受信されるそれぞれのデータ形式はその作動モードがそれぞれ異なる。従って、送受信されるそれぞれのデータ形式によって作動モードを制御しなければならないが、このような作動モードは移動通信端末機の使用状態に対応して作動できるように制御されることが最も好ましいといえる。
【００７１】
すなわち、移動通信端末機の第１筐体１２０と第２筐体１１０が各モードによる出力に対応する回転角度に応じて作動モードが制御されることが最も好ましい。この場合、作動モードの制御が容易に行われる方がユーザにとって便利である。また、作動モードを選択する間は不要な他のモードが出力されないことにより、移動通信端末機のコントローラ７００に過負荷が発生せず、これによる誤作動が誘発されない。
【００７２】
図５には、第１実施形態において、作動モードと移動通信端末機の第１筐体１２０及び第２筐体１１０の回転角とを維持できるように制御する作動モード切替装置３００が装着された状態を示す。
【００７３】
作動モード切替装置３００は、モードを選択するためのモードセレクタ３１０と、選択されたモードをオン／オフする一方、第１筐体１２０と第２筐体１１０の回転した角度を維持できるように固定する役割を果たす可動子３２０と、カップリング部材３３０とから構成される。ここで、作動モード切替装置３００のモードセレクタ３１０及び可動子３２０はヒンジ組立体１３０の一側面に装着されるが、前記第２筐体１１０と一直線をなす位置に配置される。また、モードセレクタ３１０及び可動子３２０と隣接した前記第２筐体１１０の端部位置にはカップリング部材３３０が装着される。すなわち、可動子３２０がカップリング部材３３０と結合することができる位置に装着される。
【００７４】
ここでは前記作動モード切替装置３００のモードセレクタ３１０及び可動子３２０が第２筐体１１０と一直線をなすように構成された実施形態を示すが、前記作動モード切替装置３００を構成するモードセレクタ３１０及び可動子３２０が第１筐体１２０と一直線をなすように構成することもでき、カップリング部材３３０が第１筐体１２０の端部に位置するように構成することもできる。
【００７５】
前記作動モード切替装置３００を構成するモードセレクタ３１０、可動子３２０、及びカップリング部材３３０の構成は図６〜図９に示す構成でもよい。ここで説明する構成は前記作動モード切替装置３００の作動がどのように行われるかを説明するものであり、前記作動モード切替装置３００の構成がここで説明する構成に限定されるものではなく、ここで説明する構成のような作動を行うことができる構成は全て本発明の技術的な思想の範疇に含まれる。
【００７６】
前記作動モード切替装置３００を構成するモードセレクタ３１０と可動子３２０はヒンジ組立体１３０の固定部１３５に装着される。ここで、モードセレクタ３１０と可動子３２０は第２筐体１１０と隣接した位置に第２筐体１１０と一直線をなすように配置され、カップリング部材３３０が前記セレクタ３１０、可動子３２０と隣接した前記第２筐体１１０の端部位置に装着される。
【００７７】
前記モードセレクタ３１０は短い円筒形の胴部３１１から構成することができるが、前記円筒形の胴部３１１の下部には図７に示すような回転角制御部材３１３が軸（符号なし）により結合される。前記回転角制御部材３１３はギアに類似した構成を有するが、複数の突出部１３３ａと溝１３３ｂ、１３３ｄ、１３３ｅが交互に配置されるように構成される。前記突出部１３３ａはそれぞれが様々な幅を有するように構成することができるが、その理由は後述するように移動通信端末機１００の第１筐体１２０と第２筐体１１０が回転する角度範囲を設定するためである。
【００７８】
従って、前記突出部１３３ａは第１筐体１２０と第２筐体１１０が第１角度区間、第２角度区間、及び第３角度区間を有するように構成することができる。この場合、第１角度区間は１４０〜１６０°の範囲に、第２角度区間は１７０〜１８０°の範囲に、第３角度区間は３００〜３６０°の範囲に設定されるように構成することができる。
【００７９】
前記各溝１３３ｂ、１３３ｄ、１３３ｅはモードセレクタ３１０の回転が段階的に行われるように停止させる役割を果たす要素であるため、後述するストッパ３４０のラッチ３４２と対応し、全て同じ幅に形成される。
【００８０】
モードセレクタ３１０と共に回転する回転角制御部材３１３の回転が段階的に行われるようにするため、前記回転角制御部材３１３と隣接した位置にストッパ３４０が装着される。
【００８１】
前記ストッパ３４０には、図６に示すようにケース３４１の内部にコイルバネなどの弾性部材３４３が装着される。また、前記ケース３４１には前記弾性部材３４３により一端部が支持されるラッチ３４２が装着されるが、前記ラッチ３４２は一端部が前記ケース３４１の内部に位置し、他端部が前記ケース３４１の外部に突出するように構成される。
【００８２】
前述したように構成されるストッパ３４０は前記ラッチ３４２が外力を受けてケース３４１の内部に押し込まれたり、弾性部材３４３により再び元の位置に復帰する直線運動を行う。このような作用により、回転角制御部材３１３が回転するとき、ラッチ３４２は突出部１３３ａにより後方に押されたり、溝１３３ｂ、１３３ｄ、１３３ｅと接する位置で弾性部材３４３の復元力により再び前方に突出する。
【００８３】
ここで、前記ストッパ３４０は板状のバネだけでも実現できる。すなわち、一部が曲げられて前記ラッチのような構成を有する板状のバネを採用し、前記回転角制御部材３１３が回転するとき、板状のバネが突出部１３３ａにより後方に押されたり、溝１３３ｂ、１３３ｄ、１３３ｅと接する位置で復元力により再び復帰する作用により、前記ストッパ３４０の作用を行うことができるように構成することもできる。すなわち、前記ストッパ３４０の構成は様々な方式により構成することができる。
【００８４】
前述したストッパ３４０の作用により、モードセレクタ３１０は設定された角度で止まることができ、前記回転角制御部材３１３により設定される各角度範囲によって設定されたモードを選択できる。
【００８５】
また、前記モードセレクタ３１０は回転角度を感知するセンサ３５０を含む。前記センサ３５０は複数のスイッチが前記モードセレクタ３１０の回転によって順次オン／オフされるように構成されるか、又は可変抵抗により回転角度を感知できる。
【００８６】
前記のような構成はロータリータイプのテレビのチャンネルと類似した構成により十分に実現される。従って、より具体的な説明は省略する。
【００８７】
前記モードセレクタ３１０の上部には前記カップリング部材３３０と着脱可能に構成される可動子３２０が装着される。可動子３２０は前記カップリング部材３３０との着脱により該当モードの出力をオン／オフし、移動通信端末機の第１筐体と第２筐体の回転した角度を維持できるように作用する。
【００８８】
可動子３２０は前記モードセレクタの胴部３１１の上部中央から前記モードセレクタの胴部３１１の端部に至るように、直線方向に摺動可能に結合される。このような結合を可能にするために、前記モードセレクタの胴部３１１の上部には中央から端部に至る距離だけ直線方向にスロット３１２が形成され、前記スロット３１２は後述する可動子３２０のスライダ３２２が離脱しないように上部の長手方向に沿って突出部（符号なし）が形成される。
【００８９】
可動子３２０はモードセレクタ３１０より小さい円板型の胴部３２１から構成される。前記胴部３２１の一側にはカップリング部材３３０に向かう方向に前記カップリング部材３０の幅に対応した幅を有する溝３２３が形成される。また、前記胴部３２１の下部中央には、前述したモードセレクタ３１０のスロット３１２に装着されるスライダ３２２が装着される。前記スライダ３２２はスロット３１２に対応した形状であるため前記スロット３１２から離脱せず、前記スロット３１２に沿って摺動可能に構成される。
【００９０】
ここで、前記可動子３２０と前記モードセレクタ３１０は、前記可動子３２０が前記カップリング部材３３０と結合するために移動する場合、前記可動子３２０の溝３２３はモードセレクタの胴部３１１から前記可動子３２０が十分に離脱できるように構成され、前記可動子３２０の溝３２３は前記可動子３２０が前記カップリング部材３３０に容易に結合できるように構成されることが好ましい。
【００９１】
前述した第１実施形態による移動通信端末機１００は、作動モード切替装置３００によって作動モードの制御と第１筐体及び第２筐体の回転角とを維持できるように作用する。
【００９２】
以下、このような作用を説明する。図１０Ａ〜図１１Ｂは可動子３２０がカップリング部材３３０と結合する過程を示す図である。図１０Ａ及び図１１Ａに示すようにモードセレクタ３１０により該当モードが設定され、図１０Ｂ及び図１１Ｂに示すように該当モードを出力するために、可動子３２０がカップリング部材３３０と結合するようにカップリング部材３３０の位置する方向に移動してカップリング部材３３０と結合する。ここで、前記カップリング部材３３０は可動子３２０が結合したことを認識すると設定されたモードを出力するように制御される。すなわち、前述したようにカップリング部材３３０と可動子３２０は一種のスイッチの役割を果たす。前記カップリング部材３３０は接触又は近接方式のカップリング部材で構成されるので可動子３２０の接近又は接触状態を認識でき、可動子３２０の接近又は接触が感知されると、作動モードの出力信号を移動通信端末機のコントローラ７００に伝送して該当モードを出力する。反対に、前記カップリング部材３３０は可動子３２０の分離状態を認識でき、可動子３２０の分離が感知されると、作動モードの出力解除信号を移動通信端末機のコントローラ７００に伝送して該当モードの出力を遮断する。
【００９３】
以下、前述した作用によりそれぞれの角度範囲における作用を説明する。
【００９４】
まず、図１２Ａ〜図１２Ｃは移動通信端末機の第１筐体と第２筐体が第１角度区間θ１に回転した状態を示す。図１２Ａ〜図１２Ｃに示すように、移動通信端末機の第１筐体１２０と第２筐体１１０が第１角度区間θ１に回転したとき、モードセレクタ３１０を第１角度区間θ１に回転させる。この状態で移動通信端末機の第１筐体１２０と第２筐体１１０がこれ以上回転しないように前記可動子３２０を前記カップリング部材３３０に結合させる。
【００９５】
ここで、モードセレクタ３１０の回転によって作動モードが設定され、可動子３２０と前記カップリング部材３３０の結合によって作動モードが出力される。ここで、出力される作動モードは第１角度区間θ１に対して予め設定された作動モードである。
【００９６】
同様に、図１３Ａ〜図１３Ｃは移動通信端末機の第１筐体と第２筐体が第２角度区間θ２に回転した状態を示す。図１３Ａ〜図１３Ｃに示すように、移動通信端末機の第１筐体１２０と第２筐体１１０が第２角度区間θ２に回転したとき、モードセレクタ３１０を第２角度区間θ２に回転させる。この状態で移動通信端末機の第１筐体１２０と第２筐体１１０がこれ以上回転しないように可動子３２０を前記カップリング部材３３０に結合させる。また、モードセレクタ３１０の回転により第２角度区間θ２に対して予め設定された作動モードが選択され、可動子３２０と前記カップリング部材３３０の結合により該当作動モードが出力される。
【００９７】
図１４Ａ〜図１４Ｃの場合も前述した説明と同様である。図１４Ａ〜図１４Ｃに示すように、移動通信端末機の第１筐体１２０と第２筐体１１０が第３角度区間θ３に回転したとき、モードセレクタ３１０を第３角度区間θ３に回転させる。この状態で移動通信端末機の第１筐体１２０と第２筐体１１０がこれ以上回転しないように可動子３２０を前記カップリング部材３３０に結合させる。モードセレクタ３１０の回転により第３角度区間θ３に対して予め設定された作動モードが選択され、可動子３２０と前記カップリング部材３３０の結合により該当作動モードが出力される。
【００９８】
前述したように、モードセレクタ３１０がそれぞれの角度区間だけ回転するので、各角度区間によって予め設定されたモードを選択でき、前記移動通信端末機の第１筐体１２０と第２筐体１１０はモードセレクタ３１０により選択された角度区間に回転した後、可動子３２０を前記カップリング部材３３０に結合させることにより選択されたモードを出力する。ここで、可動子３２０と前記カップリング部材３３０の結合により移動通信端末機の第１筐体１２０と第２筐体１１０がこれ以上回転しないように固定される。
【００９９】
前記移動通信端末機の第１筐体１２０と第２筐体１１０の回転角度、つまり、モードセレクタ３１０の回転角度に対する各区間は第１角度区間θ１、第２角度区間θ２、及び第３角度区間θ３に区分して設定される。ここで、前記第１角度区間θ１は１４０〜１６０°の範囲に設定され、第２角度区間θ２は１７０〜１８０°の範囲に設定され、第３角度区間θ３は３００〜３６０°の範囲に設定される。
【０１００】
また、第１角度区間θ１は初期モードに設定され、第２角度区間θ２はカメラモードに設定され、第３角度区間θ３は基地局又は衛星信号などの信号受信モードに設定される。
【０１０１】
ここで、前記第１角度区間θ１で切り替えられたり、確定される前記初期モードは一般の移動通信端末機の初期モードで設定キーの入力により通話モードに直ちに切り替えられるモードを含み、前記第３角度区間θ３で切り替えられたり、確定される前記モードはテレビ、マルチメディア、インターネット、その他の無線通信網を介して提供されるテレビ、マルチメディア、インターネットなどの通信データのいずれか１つのデータを含むモードである。
【０１０２】
例示された前記角度区間は、本発明の第１実施形態による移動通信端末機の作動モード及び位置固定のための作動モード切替装置３００の作動に適切な角度区間であり、例示された前記角度区間以外にそれぞれの機能の実行における好ましい角度区間に変更して実施することもできる。
【０１０３】
また、このように本発明の実施形態による角度区間によって切り替えられるモードを例示したが、例示された前記モードは本発明の実施形態による１つの例示に過ぎず、例示された前記モード以外にそれぞれの機能の実行における好ましいモードに変更して実施することもできる。
【０１０４】
図１５は移動通信端末機の第２実施形態を示す図であり、前述したヒンジ組立体とは異なる形態のヒンジ組立体１３０‐１を備えた移動通信端末機１００‐１を示す図である。前記移動通信端末機１００‐１は、メインＬＣＤモジュール１１２‐１を含む第２筐体１１０‐１と、キーパッド１２１‐１を含む第１筐体１２０‐１とがカメラモジュール２１０‐１を含む単純なヒンジ組立体１３０‐１により回転可能に結合される。
【０１０５】
ここで、前記第２筐体１１０‐１と第１筐体１２０‐１は回転角度が約１８０〜３００°に限定される。
【０１０６】
ヒンジ組立体１３０‐１の一側端部には前述したような作動モード切替装置３００‐１が装着される。前記作動モード切替装置３００‐１は第１実施形態で説明したものと同様の構成を有するモードセレクタ３１０‐１と、可動子３２０‐１と、カップリング部材３３０‐１とを含む。
【０１０７】
作動モード切替装置３００‐１を構成するモードセレクタ３１０‐１、可動子３２０‐１、カップリング部材３３０‐１の構成は第１実施形態で説明したものと同様であるので説明を省略する。
【０１０８】
図１６Ａ〜図１６Ｃは前記第２実施形態におけるそれぞれの角度範囲に回転する状態を示す図である。これによる作用は第１実施形態で説明したものと同様である。ただし、移動通信端末機の第１筐体と第２筐体の回転角度区間の設定角度に違いがある。従って、作用についての説明は省略し、角度範囲についてのみ概略的に説明する。
【０１０９】
第２実施形態においても第１角度区間θ１‐１、第２角度区間θ２‐１、及び第３角度区間θ３‐１に設定されるが、前記第１角度区間θ１‐１は１４０〜１６０°の範囲に設定され、第２角度区間θ２‐１は１７０〜１８０°の範囲に設定され、第３角度区間θ３‐１は２９０〜３００°の範囲に設定される。
【０１１０】
ここで、各角度区間に対する設定モードも第１実施形態と同様である。また、例示された角度区間と角度区間によって切り替えられるモードも変更して実施できるのは第１実施形態と同様である。
【０１１１】
以下、前記構成によりモードを切り替える方法の実施形態を説明する。
【０１１２】
図１７にはモードを切り替える方法の実施形態のフローチャートを示す。ここで説明するモード切替方法は前述した移動通信端末機の第１実施形態に基づいて説明する。しかし、ここで説明するモード切替方法が移動通信端末機の第１実施形態に限定されて実行されるのではなく、上で言及したように様々な実施形態に基づいて実行できる。
【０１１３】
まず、最初の段階（Ｓ１）ではユーザが作動モードを選択して移動通信端末機１００を使用しようとするモードにするために、前述したようにヒンジ組立体１３０に装着されるモードセレクタ３１０を回転させる。ここで、ユーザは移動通信端末機の第１筐体１２０と第２筐体１１０が所定角をなすように先に回転させることもでき、前記モードセレクタ３１０を先に回転させた後、前記モードセレクタ３１０が回転した角度に合わせて移動通信端末機の第１筐体１２０と第２筐体１１０を回転させることもできる。
【０１１４】
前記モード選択のためにモードセレクタ３１０を回転させる段階（Ｓ１）では、回転角制御部材３１３によって移動通信端末機の第１筐体１２０と第２筐体１１０の回転角が第１角度区間θ１、第２角度区間θ２、及び第３角度区間θ３に区分されるように回転範囲を構成できる。
【０１１５】
ここで、前記第１角度区間θ１は１４０〜１６０°の範囲に、第２角度区間θ２は１７０〜１８０°の範囲に、そして第３角度区間θ３は３００〜３６０°の範囲に設定される。このように設定される各角度区間において、前記第１角度区間θ１、第２角度区間θ２、第３角度区間θ３は異なるモードを有するように設定されてもよい。
【０１１６】
例えば、前記第１角度区間θ１は初期モードに設定され、第２角度区間θ２はカメラモードに設定され、第３角度区間θ３は基地局又は衛星信号などの信号受信モードに設定されてもよい。
【０１１７】
次の段階（Ｓ２）ではモードセレクタ３１０が回転した角度を感知する。すなわち、モードセレクタ３１０の回転した角度がどの作動モードに該当する角度範囲に含まれるかを確認する。
【０１１８】
前記段階（Ｓ２）で確認された角度範囲によってそれに該当する次の段階（Ｓ３、Ｓ４、Ｓ５）では、モードセレクタ３１０の回転した角度で可動子３２０が作動して出力信号がオン状態であるか否かを確認する。前記装置の実施形態の場合は、前記段階（Ｓ３、Ｓ４、Ｓ５）でモードセレクタ３１０の回転した角度で可動子３２０がカップリング部材３３０と結合してカップリング部材３３０により信号がオン状態であるか否かを確認するように構成することもできる。
【０１１９】
例えば、前述したように前記モードセレクタ３１０の回転による角度区間が第１角度区間θ１、第２角度区間θ２、及び第３角度区間θ３に区分されるように設定された場合は、図１６に示すようにそれぞれの角度区間によって作動段階が行われる。
【０１２０】
従って、段階（Ｓ２）で前記モードセレクタ３１０の回転した角度が第１角度区間θ１に該当する場合は、段階（Ｓ３）では前記第１角度区間θ１を維持した状態で可動子３２０が作動して出力信号がオン状態であるか否か（又は可動子３２０がカップリング部材３３０と結合しているか否か）を確認し、段階（Ｓ２）で前記モードセレクタ３１０の回転した角度が第２角度区間θ２に該当する場合は、段階（Ｓ４）では前記第２角度区間θ２を維持した状態で可動子３２０が作動して出力信号がオン状態であるか否か（又は可動子３２０がカップリング部材３３０と結合しているか否か）を確認し、段階（Ｓ２）で前記モードセレクタ３１０の回転した角度が第３角度区間θ３に該当する場合は、段階（Ｓ５）では前記第３角度区間θ３を維持した状態で可動子３２０が作動して出力信号がオン状態であるか否か（又は可動子３２０がカップリング部材３３０と結合しているか否か）を確認する。
【０１２１】
ここで、前記各段階（Ｓ３、Ｓ４、Ｓ５）で可動子３２０が作動して出力信号がオン状態でない場合（又は可動子３２０がカップリング部材３３０と結合していない場合）は、再び最初のモードセレクタ３１０を回転させる段階（Ｓ１）に戻ってユーザが他の作動モードを選択できるようにする。
【０１２２】
また、前記各段階（Ｓ３、Ｓ４、Ｓ５）で可動子３２０が作動して出力信号がオン状態の場合（又は可動子３２０がカップリング部材３３０と結合している場合）は、前記モードセレクタ３１０の回転した角度範囲に該当するそれぞれの作動モードを実行できるように該当モードを出力する。
【０１２３】
すなわち、前記段階（Ｓ３）で可動子３２０が作動して出力信号がオン状態の場合（又は可動子３２０がカップリング部材３３０と結合している場合）は次の段階（Ｓ３ａ）に進んで初期モードを出力し、前記段階（Ｓ４）で可動子３２０が作動して出力信号がオン状態の場合（又は可動子３２０がカップリング部材３３０と結合している場合）は次の段階（Ｓ４ａ）に進んでカメラモードを出力し、前記段階（Ｓ５）で可動子３２０が作動して出力信号がオン状態の場合（又は可動子３２０がカップリング部材３３０と結合している場合）は次の段階（Ｓ５ａ）に進んで基地局又は衛星信号などの信号受信モードを出力する。
【０１２４】
ここで、各角度区間に対する設定モードは移動通信端末機の第１実施形態の説明のように実施できる。
【０１２５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１２６】
制御装置の過負荷を引き起こすことなく所望の作動モードに切り替えることができ、誤作動の発生を防止し、便利に使用できるようにした、作動モード切替装置を備えた移動通信端末機及びそのモード切替方法を提供する。
【０１２７】
移動通信端末機は、ヒンジ組立体により回転可能に結合される第１筐体及び第２筐体と、第１筐体と第２筐体の回転角に対応する作動モードに切り替える作動モード切替装置とを含み、作動モード切替装置は、ヒンジ組立体に装着されて作動モードを選択するモードセレクタと、第１筐体又は第２筐体のいずれか一方の筐体に装着されるカップリング部材と、モードセレクタに移動可能に装着され、カップリング部材に着脱してモードセレクタにより選択された作動モードの出力をオン／オフする可動子とを含む。
【図面の簡単な説明】
【０１２８】
【図１】本発明の第１実施形態による作動モード切替装置を備えた移動通信端末機の全体構成を示す斜視図である。
【図２Ａ】図１に示す移動通信端末機の第１筐体と第２筐体の回転前状態を示す図である。
【図２Ｂ】図１に示す移動通信端末機の第１筐体と第２筐体の回転後状態を示す図である。
【図３】図１に示す移動通信端末機の第１筐体と第２筐体の開状態を示す図である。
【図４】本発明の第１実施形態による作動モード切替装置を備えた移動通信端末機の送受信のための回路の構成を概略的に示すブロック図である。
【図５】本発明の第１実施形態による作動モード切替装置を備えた移動通信端末機の側面図である。
【図６】本発明の第１実施形態による作動モード切替装置の構成を示す断面図である。
【図７】図６に示す作動モード切替装置の構成要素である回転角制御部材の構成を示す図である。
【図８】図６に示す作動モード切替装置の構成要素であるモードセレクタと可動子の結合状態を示す平面図である。
【図９】図８のＡ−Ａ線断面図である。
【図１０Ａ】本発明の第１実施形態による作動モード切替装置が設定されたモードを出力するために可動子がカップリング部材と結合する状態を示す部分正面図である。
【図１０Ｂ】本発明の第１実施形態による作動モード切替装置が設定されたモードを出力するために可動子がカップリング部材と結合する状態を示す部分正面図である。
【図１１Ａ】本発明の第１実施形態による作動モード切替装置が設定されたモードを出力するために可動子がカップリング部材と結合する状態を示す部分平面図である。
【図１１Ｂ】本発明の第１実施形態による作動モード切替装置が設定されたモードを出力するために可動子がカップリング部材と結合する状態を示す部分平面図である。
【図１２Ａ】移動通信端末機の各筐体が設定角θ１に回転した状態で、本発明の第１実施形態による作動モード切替装置が作動する過程を示す図である。
【図１２Ｂ】移動通信端末機の各筐体が設定角θ１に回転した状態で、本発明の第１実施形態による作動モード切替装置が作動する過程を示す図である。
【図１２Ｃ】移動通信端末機の各筐体が設定角θ１に回転した状態で、本発明の第１実施形態による作動モード切替装置が作動する過程を示す図である。
【図１３Ａ】移動通信端末機の各筐体が設定角θ２に回転した状態で、本発明の第１実施形態による作動モード切替装置が作動する過程を示す図である。
【図１３Ｂ】移動通信端末機の各筐体が設定角θ２に回転した状態で、本発明の第１実施形態による作動モード切替装置が作動する過程を示す図である。
【図１３Ｃ】移動通信端末機の各筐体が設定角θ２に回転した状態で、本発明の第１実施形態による作動モード切替装置が作動する過程を示す図である。
【図１４Ａ】移動通信端末機の各筐体が設定角θ３に回転した状態で、本発明の第１実施形態による作動モード切替装置が作動する過程を示す図である。
【図１４Ｂ】移動通信端末機の各筐体が設定角θ３に回転した状態で、本発明の第１実施形態による作動モード切替装置が作動する過程を示す図である。
【図１４Ｃ】移動通信端末機の各筐体が設定角θ３に回転した状態で、本発明の第１実施形態による作動モード切替装置が作動する過程を示す図である。
【図１５】本発明の第２実施形態による作動モード切替装置が他の構造の移動通信端末機に装着された状態を示す図である。
【図１６Ａ】移動通信端末機の各筐体が設定角θ１−１〜θ３−１に回転した状態で、本発明の第２実施形態による作動モード切替装置が作動する状態をそれぞれ示す図である。
【図１６Ｂ】移動通信端末機の各筐体が設定角θ１−１〜θ３−１に回転した状態で、本発明の第２実施形態による作動モード切替装置が作動する状態をそれぞれ示す図である。
【図１６Ｃ】移動通信端末機の各筐体が設定角θ１−１〜θ３−１に回転した状態で、本発明の第２実施形態による作動モード切替装置が作動する状態をそれぞれ示す図である。
【図１７】本発明の実施形態による作動モード切替装置を備えた移動通信端末機のモード切替方法を示すフローチャートである。
【図１】
0004832219.tif 000002
【図２Ａ】
0004832219.tif 000003
【図２Ｂ】
0004832219.tif 000004
【図３】
0004832219.tif 000005
【図４】
0004832219.tif 000006
【図５】
0004832219.tif 000007
【図６】
0004832219.tif 000008
【図７】
0004832219.tif 000009
【図８】
0004832219.tif 000010
【図９】
0004832219.tif 000011
【図１０Ａ】
0004832219.tif 000012
【図１０Ｂ】
0004832219.tif 000013
【図１１Ａ】
0004832219.tif 000014
【図１１Ｂ】
0004832219.tif 000015
【図１２Ａ】
0004832219.tif 000016
【図１２Ｂ】
0004832219.tif 000017
【図１２Ｃ】
0004832219.tif 000018
【図１３Ａ】
0004832219.tif 000019
【図１３Ｂ】
0004832219.tif 000020
【図１３Ｃ】
0004832219.tif 000021
【図１４Ａ】
0004832219.tif 000022
【図１４Ｂ】
0004832219.tif 000023
【図１４Ｃ】
0004832219.tif 000024
【図１５】
0004832219.tif 000025
【図１６Ａ】
0004832219.tif 000026
【図１６Ｂ】
0004832219.tif 000027
【図１６Ｃ】
0004832219.tif 000028
【図１７】
0004832219.tif 000029